【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
一般式（Ｉ）：
【化１】
2008540747.tif 000001
〔式中、
Ｒ１は、１〜４個の炭素原子を含有する直鎖状または分枝状アルキル基またはアルコキシ基であり、
Ｒ２およびＲ３は、互いに独立して１〜４個の炭素原子を含有する直鎖状または分枝状アルキル基であり、
Ｒ４およびＲ６は、互いに独立して有機二価連結基であり、
Ｒ５は、疎水性二価ポリマー基であり、および
Ｒ７は、ＣＨ２ＳｉＲ１（ＯＲ２）（ＯＲ３）基
［式中、Ｒ１、Ｒ２およびＲ３は、上記と同義である。］
であるか、またはＲ７は、水中油エマルジョンを形成することによる水中自己乳化特性を一般式（Ｉ）で示されるポリマーに与える基を意味する。〕
で示される一つまたは複数のポリマーの貯蔵安定性水性エマルジョンであって、
該エマルジョンは、２〜１１のｐＨおよび該エマルジョンの総重量に基づいて４０〜９５重量％の固形分を有し、および
該エマルジョンは、水中油エマルジョンを形成し得る一つまたは複数の陰イオン性乳化剤および／または非イオン性乳化剤を含んでなり、および
Ｒ７が、水中油エマルジョンを形成することによる水中自己乳化特性を一般式（Ｉ）で示されるポリマーに与える基を意味する場合、該乳化剤の少なくとも一部は、式（Ｉ）で示されるポリマーに置き換えられ、
該エマルジョンは、該エマルジョンの水性画分と、乳化剤と一般式（Ｉ）で示されるポリマーとの混合物を混合することにより得ることができる、エマルジョン。
【請求項２】
陰イオン性乳化剤および／または非イオン性乳化剤、またはそれらの混合物は、８〜１８のＨＬＢ価を有する、請求項１に記載のエマルジョン。
【請求項３】
Ｒ７は、−［プロピレンオキシ］ｎ［エチレンオキシ］ｍ−Ｒ８基
〔式中、ｎ、ｍおよびＲ８は、対応するアミンＨ２Ｎ−［プロピレンオキシ］ｎ［エチレンオキシ］ｍ−Ｒ８の親水性−親油性バランス価が８〜１５の範囲になるように選択され、およびＲ８は、脂肪族基、ヒドロキシル基またはアミノ基である。〕
を意味する、請求項１または２に記載のエマルジョン。
【請求項４】
Ｒ４およびＲ６は、互いに独立して尿素基および／またはウレタン基を含んでなる二価連結基を意味する、請求項１〜３のいずれかに記載のエマルジョン。
【請求項５】
乳化剤は、陰イオン性乳化剤、非イオン性乳化剤および式（ＩＩＩ）：
【化２】
2008540747.tif 000002
〔式中、
Ｒ１は、１〜４個の炭素原子を含有する直鎖状または分枝状アルキル基またはアルコキシ基であり、
Ｒ２およびＲ３は、互いに独立して１〜４個の炭素原子を含有する直鎖状または分枝状アルキル基であり、
Ｒ６は、有機二価連結基であり、および
Ｒ７は、水中で水中油型乳化剤として作用する特性を一般式（ＩＩＩ）で示される化合物に与える基を意味する。〕
で示される化合物からなる群から選択される請求項１〜４のいずれかに記載のエマルジョン。
【請求項６】
式（Ｉ）〔式中、Ｒ７は、水中油エマルジョンを形成することによる水中自己乳化特性を一般式（Ｉ）で示されるポリマーに与える基を意味する。〕で示されるポリマーに加えて、他の乳化剤を含まない、請求項１〜５のいずれかに記載のエマルジョン。
【請求項７】
一般式（Ｉ）：
【化３】
2008540747.tif 000003
〔式中、
Ｒ１は、１〜４個の炭素原子を含有する直鎖状または分枝状アルキル基またはアルコキシ基であり、
Ｒ２およびＲ３は、互いに独立して１〜４個の炭素原子を含有する直鎖状または分枝状アルキル基であり、
Ｒ４およびＲ６は、互いに独立して有機二価連結基であり、
Ｒ５は、疎水性二価ポリマー基であり、および
Ｒ７は、ＣＨ２ＳｉＲ１（ＯＲ２）（ＯＲ３）基
［式中、Ｒ１、Ｒ２およびＲ３は、上記と同義である。］
であるか、またはＲ７は、水中油エマルジョンを形成することによる水中自己乳化特性を一般式（Ｉ）で示されるポリマーに与える基を意味する。〕
で示される一つまたはそれ以上のポリマーと、水中油エマルジョンを形成し得る一つまたは複数の陰イオン性乳化剤および／または非イオン性乳化剤との混合物を製造し、
ここで、Ｒ７が、水中油エマルジョンを形成することによる水中自己乳化特性を一般式（Ｉ）で示されるポリマーに与える基を意味する場合、該乳化剤の少なくとも一部は、式（Ｉ）で示されるポリマーに置き換えられ、および
水性エマルジョン成分をこの混合物に添加して、これによりｐＨを２〜１１に調整し、および固形分を、エマルジョンの総重量に基づいて４０〜９５重量％に調整すること
を含む、請求項１〜６のいずれかに記載のエマルジョンの製造方法。
【請求項８】
接着剤、シーリングコンパウンド、表面被覆材料およびポリマー成形コンパウンドを製造するための、または接着剤、シーリングコンパウンド、表面被覆材料およびポリマー成形コンパウンドとしての、請求項１〜６のいずれかに記載のエマルジョンまたは請求項７に記載の方法により得られるエマルジョンの使用。
【請求項９】
一般式（Ｉ）：
【化４】
2008540747.tif 000004
〔式中、
Ｒ１は、１〜４個の炭素原子を含有する直鎖状または分枝状アルキル基またはアルコキシ基であり、
Ｒ２およびＲ３は、互いに独立して１〜４個の炭素原子を含有する直鎖状または分枝状アルキル基であり、
Ｒ４およびＲ６は、互いに独立して有機二価連結基であり、
Ｒ５は、疎水性二価ポリマー骨格であり、および
Ｒ７は、水中油エマルジョンを形成することによる水中自己乳化特性を一般式（Ｉ）で示されるポリマーに与える基を意味する。〕
で示されるα−シリル末端ポリマー。
【請求項１０】
Ｒ７は、８〜１８のＨＬＢ価を有する化合物から誘導される基を意味する、請求項９に記載のα−シリル末端ポリマー。
【請求項１１】
Ｒ７は、−［プロピレンオキシ］ｎ［エチレンオキシ］ｍ−Ｒ８基〔式中、ｎ、ｍおよびＲ８は、対応するアミンＨ２Ｎ−［プロピレンオキシ］ｎ［エチレンオキシ］ｍ−Ｒ８の親水性−親油性バランス価が８〜１５の範囲になるように選択され、およびＲ８は、脂肪族基、ヒドロキシル基またはアミノ基である。〕を意味する、請求項１０に記載のα−シリル末端ポリマー。
【請求項１２】
接着剤、シーリングコンパウンド、表面被覆組成物またはポリマー成形コンパウンドにおける自己乳化ポリマーとしての、請求項９〜１１のいずれかに記載の一つまたはそれ以上のα−シリル末端ポリマーの使用。
【請求項１３】
一般式（ＩＩＩ）：
【化５】
2008540747.tif 000005
〔式中、
Ｒ１は、１〜４個の炭素原子を含有する直鎖状または分枝状アルキル基またはアルコキシ基であり、
Ｒ２およびＲ３は、互いに独立して１〜４個の炭素原子を含有する直鎖状または分枝状アルキル基であり、
Ｒ６は、有機二価連結基であり、および
Ｒ７は、水中で水中油型乳化剤として作用する特性を一般式（ＩＩＩ）で示される化合物に与える基を意味する。〕
で示される、α−シリル末端ポリオキシアルキレン誘導体。
【請求項１４】
Ｒ７は、８〜１５のＨＬＢ価を有する化合物から誘導される基を意味する、請求項１３に記載のα−シリル末端ポリオキシアルキレン誘導体。
【請求項１５】
Ｒ７は、−［プロピレンオキシ］ｎ［エチレンオキシ］ｍ−Ｒ８基
〔式中、ｎ、ｍおよびＲ８は、対応するアミンＨ２Ｎ−［プロピレンオキシ］ｎ［エチレンオキシ］ｍ−Ｒ８の親水性−親油性バランス価が８〜１５の範囲になるように選択され、およびＲ８は、脂肪族基、ヒドロキシル基またはアミノ基である。〕
を意味する、請求項１４に記載のα−シリル末端ポリオキシアルキレン誘導体。
【請求項１６】
接着剤、シーリングコンパウンド、表面被覆組成物またはポリマー成形コンパウンドにおける反応性乳化剤としての、請求項１３〜１５の一つまたはそれ以上からのα−シリル末端ポリオキシアルキレン誘導体の使用。
【請求項１７】
請求項１〜６のいずれかに記載の一つまたは複数のエマルジョンを含んでなる、および／または請求項９〜１１のいずれかに記載の一つまたは複数のα−シリル末端ポリマーを含んでなる、および／または請求項１３〜１５のいずれかに記載の一つまたは複数のα−シリル末端ポリオキシアルキレン誘導体を含んでなる、接着剤、シーリングコンパウンド、表面被覆組成物またはポリマー成形コンパウンド。
【手続補正２】
【補正対象書類名】明細書
【補正対象項目名】００５９
【補正方法】変更
【補正の内容】
【００５９】
さらなる局面において、本発明は、接着剤、シーラント、被覆剤およびポリマーコンパウンドを製造するための本発明のエマルジョンの使用、または接着剤、シーラント、被覆剤およびポリマー化合物としてのそれらの使用を利用可能にする。特に、上記目的のための、本発明の自己乳化α−シリル末端ポリマーおよび／または本発明の反応性乳化剤を含むこのようなエマルジョンの使用は、好ましい。
【手続補正３】
【補正対象書類名】明細書
【補正対象項目名】００６６
【補正方法】変更
【補正の内容】
【００６６】
さらなる本発明の主題は、本発明のエマルジョンを用いて製造される接着剤、表面被覆剤またはシーラントからなる。
本発明の好適な実施態様には、以下のものが含まれる。
〔１〕  一般式（Ｉ）：
〔化１〕
2008540747.tif 000006
〔式中、
Ｒ１は、１〜４個の炭素原子を含有する直鎖状または分枝状アルキル基またはアルコキシ基であり、
Ｒ２およびＲ３は、互いに独立して１〜４個の炭素原子を含有する直鎖状または分枝状アルキル基であり、
Ｒ４およびＲ６は、互いに独立して有機二価連結基であり、
Ｒ５は、疎水性二価ポリマー基であり、および
Ｒ７は、ＣＨ２ＳｉＲ１（ＯＲ２）（ＯＲ３）基
［式中、Ｒ１、Ｒ２およびＲ３は、上記と同義である。］
であるか、またはＲ７は、水中油エマルジョンを形成することによる水中自己乳化特性を一般式（Ｉ）で示されるポリマーに与える基を意味する。〕
で示される一つまたは複数のポリマーの貯蔵安定性水性エマルジョンであって、
該エマルジョンは、２〜１１のｐＨおよび該エマルジョンの総重量に基づいて４０〜９５重量％の固形分を有し、および
該エマルジョンは、水中油エマルジョンを形成し得る一つまたは複数の陰イオン性乳化剤および／または非イオン性乳化剤を含んでなり、および
Ｒ７が、水中油エマルジョンを形成することによる水中自己乳化特性を一般式（Ｉ）で示されるポリマーに与える基を意味する場合、該乳化剤の少なくとも一部は、式（Ｉ）で示されるポリマーに置き換えられ、
該エマルジョンは、該エマルジョンの水性画分と、乳化剤と一般式（Ｉ）で示されるポリマーとの混合物を混合することにより得ることができる、エマルジョン。
〔２〕  陰イオン性乳化剤および／または非イオン性乳化剤、またはそれらの混合物は、８〜１８、好ましくは８〜１５のＨＬＢ価を有する、上記〔１〕に記載のエマルジョン。
〔３〕  Ｒ７は、−［プロピレンオキシ］ｎ［エチレンオキシ］ｍ−Ｒ８基
〔式中、ｎ、ｍおよびＲ８は、対応するアミンＨ２Ｎ−［プロピレンオキシ］ｎ［エチレンオキシ］ｍ−Ｒ８の親水性−親油性バランス価が８〜１５の範囲になるように選択され、およびＲ８は、脂肪族基、ヒドロキシル基またはアミノ基である。〕
を意味する、上記〔１〕または〔２〕に記載のエマルジョン。
〔４〕  Ｒ１は、メチル、エチル、メトキシまたはエトキシを意味し、Ｒ２およびＲ３は、互いに独立してメチルまたはエチルを意味する、上記〔１〕〜〔３〕のいずれかに記載のエマルジョン。
〔５〕  Ｒ４およびＲ６は、互いに独立して尿素基および／またはウレタン基を含んでなる二価連結基を意味する、上記〔１〕〜〔４〕のいずれかに記載のエマルジョン。
〔６〕  Ｒ４およびＲ６は、−ＮＲ９−（ＣＯ）−Ｒ１０−基
〔式中、Ｒ１０基はＲ５に結合しており、
Ｒ９は、水素、１〜６個の炭素原子を含有する直鎖状または分枝状アルキル基、４〜６個の炭素原子を含有するシクロアルキル基または５〜１０個の炭素原子を含有するアリール基を意味し、および
Ｒ１０は、単結合または−ＮＲ１１−Ｒ１２−基
［式中、Ｒ１２基はＲ５に結合しており、
Ｒ１１は、水素、１〜６個の炭素原子を含有する直鎖状または分枝状アルキル基、４〜６個の炭素原子を含有するシクロアルキル基または５〜１０個の炭素原子を含有するアリール基を意味し、および
Ｒ１２は、−Ｒ１３−（ＮＨ）ｒ−（ＣＯ）−基
（式中、ｒは０または１であり、
Ｒ１３は、６〜１１個の炭素原子を含有するアルキルアリール基、６〜１１個の炭素原子を含有するアラルキル基、または５〜１０個の炭素原子を含有するアリール基を意味し、
ＣＯ基はＲ５に結合している。）
を意味する。］
を意味する。〕
を意味する、上記〔１〕〜〔５〕のいずれかに記載のエマルジョン。
〔７〕  Ｒ５は、ポリプロピレングリコール、ポリテトラヒドロフラン、ポリエステル、ポリアクリレート、ポリメタクリレート、ポリシアノアクリレート、ポリスチレン、ポリアミド、ポリ酢酸ビニル、ポリカプロラクタム、ポリカプロラクトン、ポリブタジエン、ポリエチレン、ポリ塩化ビニル、ポリアクリルアミド、ポリアクリロニトリル、ポリエチレンテレフタレート、ポリカーボネート、ポリスルフィド、ポリエーテルケトン、エポキシ樹脂、フェノールホルムアルデヒド樹脂、ポリウレタン、ポリシロキサンまたは上記ポリマーのモノマーのコポリマーの二価基を意味する、上記〔１〕〜〔６〕のいずれかに記載のエマルジョン。
〔８〕  乳化剤は、陰イオン性乳化剤、非イオン性乳化剤および式（ＩＩＩ）：
〔化２〕
2008540747.tif 000007
〔式中、
Ｒ１は、１〜４個の炭素原子を含有する直鎖状または分枝状アルキル基またはアルコキシ基であり、
Ｒ２およびＲ３は、互いに独立して１〜４個の炭素原子を含有する直鎖状または分枝状アルキル基であり、
Ｒ６は、有機二価連結基であり、および
Ｒ７は、水中で水中油型乳化剤として作用する特性を一般式（ＩＩＩ）で示される化合物に与える基を意味する。〕
で示される化合物からなる群から選択される上記〔１〕〜〔７〕のいずれかに記載のエマルジョン。
〔９〕  Ｒ７は、−［プロピレンオキシ］ｎ［エチレンオキシ］ｍ−Ｒ８〔式中、ｎ、ｍおよびＲ８は、対応するアミンＨ２Ｎ−［プロピレンオキシ］ｎ［エチレンオキシ］ｍ−Ｒ８の親水性−親油性バランス価が８〜１５の範囲になるように選択され、およびＲ８は、脂肪族基、ヒドロキシル基またはアミノ基である。〕を意味する、上記〔８〕に記載のエマルジョン。
〔１０〕  乳化剤含量は、エマルジョンの総重量に基づいて、２５重量％未満、好ましくは２０重量％未満、特に好ましくは１５重量％未満である、上記〔１〕〜〔９〕のいずれかに記載のエマルジョン。
〔１１〕  Ｒ１は、メチル、エチル、メトキシまたはエトキシを意味し、および
Ｒ２およびＲ３は、互いに独立してメチルまたはエチルを意味し、
Ｒ４およびＲ６は、互いに独立して尿素基および／またはウレタン基を含んでなる二価連結基を意味し、
Ｒ５は、二価ポリテトラヒドロフランまたはポリエステル基であり、および
Ｒ７は、−［プロピレンオキシ］ｎ［エチレンオキシ］ｍ−Ｒ８基
〔式中、ｎ、ｍおよびＲ８は、対応するアミンＨ２Ｎ−［プロピレンオキシ］ｎ［エチレンオキシ］ｍ−Ｒ８の親水性−親油性バランス価が８〜１５の範囲になるように選択され、およびＲ８は、脂肪族基、ヒドロキシル基またはアミノ基である。〕
を意味する、上記〔１〕〜〔１０〕のいずれかに記載のエマルジョン。
〔１２〕  Ｒ４およびＲ６は、互いに独立して式（ＩＩ）：
〔化３〕
2008540747.tif 000008
〔式中、Ｒ５に対する結合は、ウレタン基を介して生じ、および
Ｒ１４は、水素、１〜６個の炭素原子を含有する直鎖状または分枝状アルキル基、４〜６個の炭素原子を含有するシクロアルキル基または５〜１０個の炭素原子を含有するアリール基を意味する。〕
で示される基を意味する、上記〔１１〕に記載のエマルジョン。
〔１３〕  エマルジョンのｐＨは、３〜１０、好ましくは４〜９、特に好ましくは４〜７およびとりわけ好ましくは４〜６である、上記〔１〕〜〔１２〕のいずれかに記載のエマルジョン。
〔１４〕  式（Ｉ）〔式中、Ｒ７は、水中油エマルジョンを形成することによる水中自己乳化特性を一般式（Ｉ）で示されるポリマーに与える基を意味する。〕で示されるポリマーに加えて、他の乳化剤を含まない、上記〔１〕〜〔１３〕のいずれかに記載のエマルジョン。
〔１５〕  陰イオン性乳化剤と非イオン性乳化剤との混合物を含んでなる、上記〔１〕〜〔１３〕のいずれかに記載のエマルジョン。
〔１６〕  疎水性二価ポリマー基Ｒ５は、ポリエステル基またはポリテトラヒドロフラン基である、上記〔８〕または〔９〕に記載のエマルジョン。
〔１７〕  充填剤、顔料、保護コロイド、ｐＨ調整剤、緩衝物質、接着促進剤、粘着付与剤、触媒、皮膜形成剤、可塑剤、レドックス安定剤、ＵＶ安定剤または粘度調整剤から選択される一以上の成分をさらに含んでなる、上記〔１〕〜〔１６〕のいずれかに記載のエマルジョン。
〔１８〕  一般式（Ｉ）：
〔化４〕
2008540747.tif 000009
〔式中、
Ｒ１は、１〜４個の炭素原子を含有する直鎖状または分枝状アルキル基またはアルコキシ基であり、
Ｒ２およびＲ３は、互いに独立して１〜４個の炭素原子を含有する直鎖状または分枝状アルキル基であり、
Ｒ４およびＲ６は、互いに独立して有機二価連結基であり、
Ｒ５は、疎水性二価ポリマー基であり、および
Ｒ７は、ＣＨ２ＳｉＲ１（ＯＲ２）（ＯＲ３）基
［式中、Ｒ１、Ｒ２およびＲ３は、上記と同義である。］
であるか、またはＲ７は、水中油エマルジョンを形成することによる水中自己乳化特性を一般式（Ｉ）で示されるポリマーに与える基を意味する。〕
で示される一つまたはそれ以上のポリマーと、水中油エマルジョンを形成し得る一つまたは複数の陰イオン性乳化剤および／または非イオン性乳化剤との混合物を製造し、
ここで、Ｒ７が、水中油エマルジョンを形成することによる水中自己乳化特性を一般式（Ｉ）で示されるポリマーに与える基を意味する場合、該乳化剤の少なくとも一部は、式（Ｉ）で示されるポリマーに置き換えられ、および
水性エマルジョン成分をこの混合物に添加して、これによりｐＨを２〜１１に調整し、および固形分を、エマルジョンの総重量に基づいて４０〜９５重量％に調整すること
を含む、上記〔１〕〜〔１７〕のいずれかに記載のエマルジョンの製造方法。
〔１９〕  接着剤、シーリングコンパウンド、表面被覆材料およびポリマー成形コンパウンドを製造するための、または接着剤、シーリングコンパウンド、表面被覆材料およびポリマー成形コンパウンドとしての、上記〔１〕〜〔１７〕のいずれかに記載のエマルジョンまたは上記〔１８〕に記載の方法により得られるエマルジョンの使用。
〔２０〕  一般式（Ｉ）：
〔化５〕
2008540747.tif 000010
〔式中、
Ｒ１は、１〜４個の炭素原子を含有する直鎖状または分枝状アルキル基またはアルコキシ基であり、
Ｒ２およびＲ３は、互いに独立して１〜４個の炭素原子を含有する直鎖状または分枝状アルキル基であり、
Ｒ４およびＲ６は、互いに独立して有機二価連結基であり、
Ｒ５は、疎水性二価ポリマー骨格であり、および
Ｒ７は、水中油エマルジョンを形成することによる水中自己乳化特性を一般式（Ｉ）で示されるポリマーに与える基を意味する。〕
で示されるα−シリル末端ポリマー。
〔２１〕  Ｒ７は、８〜１８のＨＬＢ価を有する化合物から誘導される基を意味する、上記〔２０〕に記載のα−シリル末端ポリマー。
〔２２〕  Ｒ７は、−［プロピレンオキシ］ｎ［エチレンオキシ］ｍ−Ｒ８基〔式中、ｎ、ｍおよびＲ８は、対応するアミンＨ２Ｎ−［プロピレンオキシ］ｎ［エチレンオキシ］ｍ−Ｒ８の親水性−親油性バランス価が８〜１５の範囲になるように選択され、およびＲ８は、脂肪族基、ヒドロキシル基またはアミノ基である。〕を意味する、上記〔２１〕に記載のα−シリル末端ポリマー。
〔２３〕  接着剤、シーリングコンパウンド、表面被覆組成物またはポリマー成形コンパウンドにおける自己乳化ポリマーとしての、上記〔２０〕〜〔２２〕のいずれかに記載の一つまたはそれ以上のα−シリル末端ポリマーの使用。
〔２４〕  一般式（ＩＩＩ）：
〔化６〕
2008540747.tif 000011
〔式中、
Ｒ１は、１〜４個の炭素原子を含有する直鎖状または分枝状アルキル基またはアルコキシ基であり、
Ｒ２およびＲ３は、互いに独立して１〜４個の炭素原子を含有する直鎖状または分枝状アルキル基であり、
Ｒ６は、有機二価連結基であり、および
Ｒ７は、水中で水中油型乳化剤として作用する特性を一般式（ＩＩＩ）で示される化合物に与える基を意味する。〕
で示される、α−シリル末端ポリオキシアルキレン誘導体。
〔２５〕  Ｒ７は、８〜１５のＨＬＢ価を有する化合物から誘導される基を意味する、上記〔２４〕に記載のα−シリル末端ポリオキシアルキレン誘導体。
〔２６〕  Ｒ７は、−［プロピレンオキシ］ｎ［エチレンオキシ］ｍ−Ｒ８基
〔式中、ｎ、ｍおよびＲ８は、対応するアミンＨ２Ｎ−［プロピレンオキシ］ｎ［エチレンオキシ］ｍ−Ｒ８の親水性−親油性バランス価が８〜１５の範囲になるように選択され、およびＲ８は、脂肪族基、ヒドロキシル基またはアミノ基である。〕
を意味する、上記〔２５〕に記載のα−シリル末端ポリオキシアルキレン誘導体。
〔２７〕  接着剤、シーリングコンパウンド、表面被覆組成物またはポリマー成形コンパウンドにおける反応性乳化剤としての、上記〔２４〕〜〔２６〕の一つまたはそれ以上からのα−シリル末端ポリオキシアルキレン誘導体の使用。
〔２８〕  上記〔１〕〜〔１７〕のいずれかに記載の一つまたは複数のエマルジョンを含んでなる、および／または上記〔２０〕〜〔２２〕のいずれかに記載の一つまたは複数のα−シリル末端ポリマーを含んでなる、および／または上記〔２４〕〜〔２６〕のいずれかに記載の一つまたは複数のα−シリル末端ポリオキシアルキレン誘導体を含んでなる、接着剤、シーリングコンパウンド、表面被覆組成物またはポリマー成形コンパウンド。